(57)【特許請求の範囲】
【請求項１】
吸い込んだ空気より塵埃を除去するマスクであって、
このマスクは、
少なくとも、
体液を吸収する体液吸収層と、
吸い込んだ空気の流れに対して、前記体液吸収層の風下側に位置して、前記体液      吸収層で吸収された前記体液が口元に流れないように阻止する体液移動阻止層と、    を有し、
前記体液移動阻止層は起毛不織布であり、この起毛不織布の起毛が前記体液吸収層 に接触していることを特徴とするマスク。
【請求項２】
0003578631.tif 000002
の繊維から構成されていることを特徴とする請求項１記載のマスク。
【請求項３】
0003578631.tif 000003
の繊維から構成されていることを特徴とする請求項１記載のマスク。
【発明の詳細な説明】
【０００１】
本発明は、マスクに係り、特に、体液の透過防止を図ったマスクに関する。
【０００２】
【従来の技術】
医師、歯科医師等が診察、手術する際、患部から血液、分泌液などの体液が流出し、時として、体液がマスクに飛散し、体液が診察、手術する医師、歯科医師等にマスクを介して接触するという問題点を有する。
【０００３】
【発明が解決しようとする課題】
本発明は、前記問題点を除去するようにしたマスクを提供することを目的としている。
【０００４】
【課題を解決するための手段】
上記目的を達成するために、本発明のマスクは、吸い込んだ空気より塵埃を除去するマスクであって、このマスクは、少なくとも、体液を吸収する体液吸収層と、吸い込んだ空気の流れに対して、前記体液吸収層の風下側に位置して、前記体液吸収層で吸収された前記体液が口元に流れないように阻止する体液移動阻止層とを有し、前記体液移動阻止層は起毛不織布であり、この起毛不織布の起毛が前記体液吸収層に接触しているものである。
【０００５】
また、請求項２記載のマスクは、請求項１記載のマスクにおいて、体液吸収層は、平均繊維径１．０  μｍ〜２．０  μｍ、目付１５ｇ／ｍ２  〜２５ｇ／ｍ２  、空隙率９０％以上の繊維から構成されているものである。
【０００６】
また、請求項３記載のマスクは、請求項１記載のマスクにおいて、体液吸収層は、平均繊維径１．０  μｍ〜２．０  μｍ、目付１５ｇ／ｍ２  〜２５ｇ／ｍ２  、厚み０．２  ｍｍ〜０．５  ｍｍ、空隙率９０％〜９８％の繊維から構成されているものである。
【０００８】
【実施例】
本発明の一実施例のマスクについて、図面を参照して説明する。図１乃至図３において、１は、吸い込んだ空気より塵埃を除去するマスクで、マスク１は、通気性を有した矩形形状のもので、例えば、４層よりなっている。
【０００９】
２は、口元から遠い側に位置した第１層（表側カバー）で、３は、口元に近い側に位置した第２層（口元カバー）である。
【００１０】
この第１層２と第２層３との間には、患部から流出する血液、分泌液などの体液を吸収する体液吸収層４、この体液吸収層４で吸収された体液が口元に流れないように阻止する体液移動阻止層５がそれぞれ設けられている。
【００１１】
体液吸収層４は、極微細な太さのものを嵩高に（ｂｕｌｋｙ）ふんわりに作られたもので、例えば、溶融した樹脂を紡糸口から押し出す際に高温のエアーで吹き飛ばしたものをコンベア上で補集してウェブとして作られる、所謂、メルトブロー法で作られたメルトブローの不織布（不織布の素材は、ポリプロピレン）で、より具体的には、平均繊維径１．０  μｍ〜２．０  μｍ、目付１５ｇ／ｍ２  〜２５ｇ／ｍ２  、厚み０．２  ｍｍ〜０．５  ｍｍ、空隙率９０％以上（より望ましくは、空隙率９０％〜９８％）で、同一の目付（ｇ／ｍ２  ）の他のものと比較すると、空隙率が大きく、かつ、繊維が細くて本数が多いので、網目が極めて微小で多孔化することにより体液保持能力が高くなる。
【００１２】
吸い込んだ空気の流れに対して、体液吸収層４の風下側に位置する体液移動阻止層５は、例えば、起毛不織布であり、より詳しくは、ポリプロピレン主材の複合繊維の起毛不織布で、熱風により基布５１の片面に繊維を毛羽立たせた起毛５２を有している。
【００１３】
従って、患部から流出する血液、分泌液などの体液がマスク１に飛散しても、体液は体液吸収層４に吸収され、吸収された体液は体液移動阻止層５に阻止され、体液がマスク１を介して診察、手術する医師、歯科医師等に接触するのを防止することができる。
【００１４】
特に、体液吸収層４は微細繊維で空隙率を大きく形成したため、体液吸収層４による吸収保液能力を高め、しかも、体液吸収層４の厚みを薄く形成することができ、また、吸収保液能力の高い厚みの薄い体液吸収層４と点接触に近い接触をする、つまり、起毛不織布の起毛５２が体液吸収層４に接触する際の接触面積を小くすることができ、体液吸収層４に吸収された体液を体液移動阻止層５にて阻止でき、薄い起毛不織布でも体液の透過を防ぐことができ、全体としてマスク１の厚みを薄く形成することができる。
【００１５】
また、体液移動阻止層５を起毛形の繊維間の粗い不織布で形成すれば、体液移動阻止層５を通過する空気の通過抵抗も大きくないため、マスク１を介して呼吸する際、息苦しさもそれ程生じない。
【００１６】
なお、上述の実施例においては、マスク１を、第１層２（表側カバー）、第２層３（口元カバー）、体液吸収層４、体液移動阻止層５の４層で構成しているが、本発明にあっては、これに限らず、体液吸収層４、体液移動阻止層５の２層で構成しても良く、また、第１層２（表側カバー）、第２層３（口元カバー）、体液吸収層４、体液移動阻止層５の４層以外に、第１層２と体液吸収層４との間、体液移動阻止層５と第２層３（口元カバー）との間に、通気性の層（図示せず）を別途設けても良い、本発明のマスク１にあっては、少なくとも、体液を吸収する体液吸収層４と、吸い込んだ空気の流れに対して、体液吸収層４の風下側に位置して、体液吸収層４で吸収された体液が口元に流れないように阻止する体液移動阻止層５があれば良い。
【００１７】
【発明の効果】
請求項１記載のマスクによれば、起毛不織布の起毛が体液吸収層に接触する際の接触面積を小くすることができ、体液吸収層に吸収された体液は体液移動阻止層に阻止され、薄い起毛不織布でも体液の透過を防ぐことができ、全体としてマスクの厚みを薄く形成することができ、しかも、体液移動阻止層は起毛形の繊維間の粗い不織布で形成されているため、体液移動阻止層を通過する空気の通過抵抗も大きくないため、マスクを介して呼吸する際、息苦しさもそれ程生じない。
【００１８】
また、請求項２記載のマスクによれば、請求項１記載の発明の効果に加え、微細繊維で空隙率を大きく形成したため、体液吸収層による吸収保液能力を高めることができる。
【００１９】
また、請求項３記載のマスクによれば、請求項１記載の発明の効果に加え、微細繊維で空隙率を大きく形成したため、体液吸収層による吸収保液能力を高めることができ、しかも、体液吸収層の厚みを薄くすることができる。
【図面の簡単な説明】
【図１】図１は、本発明の一実施例のマスクを装着した状態の概略的断面図である。
【図２】図２は、図１のマスクを分解して示す概略的分解斜視図である。
【図３】図３は、図１のＸーＸ線による概略的断面図である。
【符号の説明】
１        マスク
４        体液吸収層
５        体液移動阻止層
【図１】
0003578631.tif 000004
【図２】
0003578631.tif 000005
【図３】
0003578631.tif 000006